(57)【要約】【課題】操作性に優れる上に、無意識による操作レバーの折損事故を回避でき、しかも、室内の美観を損なわない換気装置を提供すること。【解決手段】換気装置１は、換気路２を有する函体５と、函体５に設けられた開閉部材６と、函体５の長辺３に平行な回転軸心Ｏをもって方向Ｒに回転自在となるように函体５に軸支された操作板７及び回転軸心Ｏをもっての操作板７の方向Ｒの回転を開閉部材６に伝達して開閉部材６を短辺４に平行な方向Ａに移動させるリンク機構８を有していると共に開閉部材６を開放位置及び閉塞位置間であって方向Ａに移動させる移動機構９とを具備している。【選択図】図１
2018004145.tif 000002
【特許請求の範囲】
【請求項１】
換気路を有すると共に長辺及び短辺をもった直方体状の函体と、この函体内に換気路を開放する開放位置及び当該換気路を閉塞する閉塞位置間であって函体の短辺に平行な方向に移動できるように設けられた開閉部材と、函体の長辺に平行な回転軸心をもって回転自在となるように函体に軸支された操作板及び長辺に平行な回転軸心をもっての操作板の回転を開閉部材に伝達して開閉部材を短辺に平行な方向に移動させるリンク機構を有していると共に開閉部材を開放位置及び閉塞位置間であって函体の短辺に平行な方向に移動させる移動機構とを具備している換気装置。
【請求項２】
リンク機構は、操作板に一端で回転自在に連結された第一のリンク部材と、この第一のリンク部材の他端が回転自在に連結されていると共に短辺に平行な方向に滑り移動自在に支持された滑り板と、この滑り板に一端で回転自在に連結されていると共に他端が函体の長辺に平行な方向に案内移動されるようになっている第二のリンク部材と、第二のリンク部材の一端及び他端間に一端で回転自在に連結されていると共に他端が函体に回転自在に支持された第三のリンク部材と、第二のリンク部材の他端に一端で回転自在に連結されていると共に当該一端が函体の長辺に平行な方向に案内移動されるようになっている第四のリンク部材と、一端が函体の長辺に平行な方向に案内移動される一方、他端が函体の短辺に平行な方向に案内移動されるようになっていると共に当該一端に第四のリンク部材の他端が回転自在に連結されている第五のリンク部材とを具備しており、第五のリンク部材は、その他端で開閉部材に回転自在に連結されている請求項１に記載の換気装置。
【請求項３】
第二のリンク部材と第三のリンク部材とは、スコットラッセル機構となっている請求項１又は２に記載の換気装置。
【発明の詳細な説明】
【技術分野】
【０００１】
本発明は、必要に応じて室外と室内とを連通させて室内に室外の空気を導入して室内を換気する換気装置に関する。
【背景技術】
【０００２】
換気装置は、一般に、空気を通過させる通路を有したハウジングと、ハウジング内に配設されていると共に通路を開閉する閉塞部材と、この閉塞部材を通路開放位置と通路閉塞位置との間で移動させる手動の操作機構とを具備している。
【０００３】
斯かる換気装置における手動の操作機構は、操作ハンドルと、ハンドル部材を閉塞部材に連結させるリンク機構とを備えており、操作ハンドルの手動操作で閉塞部材を通路開放位置と通路閉塞位置との間で移動させるようになっている。
【先行技術文献】
【特許文献】
【０００４】
【特許文献１】国際公開第２００９／０６９５２５号
【発明の概要】
【発明が解決しようとする課題】
【０００５】
ところで、特許文献１には、操作ハンドルの一例として、直方体状の換気装置の長辺に平行な方向に関して起立倒伏可能な操作レバーが記載されているが、この種の換気装置では、通常、窓際においてその長辺が窓面に平行となるように設置され、しかも、手動操作可能に室内にその操作ハンドルが配される結果、特許文献１に記載の操作レバーでは、操作レバーの起立倒伏を閉塞部材に伝達させるリンク機構の一部が室内側に露出して室内の美観を損なう上に、操作レバーの起立倒伏の手動操作を換気装置の長辺に沿う操作者の腕の左右の動きで行わなければならず、人間工学的に優れた操作性を有しているとは言い難い。
【０００６】
しかも、操作レバーの換気装置の長辺に平行な方向に関しての起立倒伏は、窓際における換気装置の清掃等で、ややもすると操作レバーの無意識による折損事故を招来する虞がある。
【０００７】
本発明は、前記諸点に鑑みてなされたものであって、その目的とするところは、操作性に優れる上に、無意識による操作レバーの折損事故を回避でき、しかも、室内の美観を損なわない換気装置を提供することにある。
【課題を解決するための手段】
【０００８】
本発明による換気装置は、換気路を有すると共に長辺及び短辺をもった直方体状の函体と、この函体内に換気路を開放する開放位置及び当該換気路を閉塞する閉塞位置間であって函体の短辺に平行な方向に移動できるように設けられた開閉部材と、函体の長辺に平行な回転軸心をもって回転自在となるように函体に軸支された操作板及び長辺に平行な回転軸心をもっての操作板の回転を開閉部材に伝達して開閉部材を短辺に平行な方向に移動させるリンク機構を有していると共に開閉部材を開放位置及び閉塞位置間であって函体の短辺に平行な方向に移動させる移動機構とを具備している。
【０００９】
本発明による換気装置によれば、操作レバーに相当する操作板が函体の長辺に平行な回転軸心をもって回転自在となるように函体に軸支されているために、操作板を操作者の片方の手で握るような動作で一方の方向に回転できる上に、一方の方向に回転した操作板を操作者の片方の手で押さえるような動作で他方の方向に回転できる結果、操作性に優れる上に、無意識による操作板の折損事故を回避でき、しかも、リンク機構を操作板で室内側から目視できないように隠すことができる結果、リンク機構による室内の美観の毀損を回避できる。
【００１０】
本発明において、リンク機構は、操作板に一端で回転自在に連結された第一のリンク部材と、この第一のリンク部材の他端が回転自在に連結されていると共に短辺に平行な方向に滑り移動自在に支持された滑り板と、この滑り板に一端が回転自在に連結されていると共に他端が函体の長辺に平行な方向に案内移動されるようになっている第二のリンク部材と、第二のリンク部材の一端及び他端間に一端が回転自在に連結されていると共に他端が回転自在に支持された第三のリンク部材と、第二のリンク部材の他端に一端が回転自在に連結されていると共に函体の長辺に平行な方向に移動できるように設けられた第四のリンク部材と、一端が函体の長辺に平行な方向に案内移動される一方、他端が函体の短辺に平行な方向に案内移動されるようになっていると共に当該一端に第四のリンク部材の他端が回転自在に連結されている第五のリンク部材とを具備していてもよく、第五のリンク部材は、その一端で開閉部材に回転自在に連結されていてもよく、また、操作板の函体の長辺に平行な回転軸心をもった回転を長辺に平行な方向の直動に変換するべく、第二のリンク部材と第三のリンク部材とは、スコットラッセル機構となっていてもよい。
【発明の効果】
【００１１】
本発明によれば、操作性に優れる上に、無意識による操作板の折損事故を回避でき、しかも、室内の美観を損なわない換気装置を提供することができる。
【図面の簡単な説明】
【００１２】
【図１】図１は、本発明の好ましい実施の形態の例の一部の斜視説明図である。
【図２】図２は、本発明の好ましい実施の形態の例の一部の分解斜視説明図である。
【図３】図３は、本発明の好ましい実施の形態の例の一部の平面説明図である。
【図４】図４は、本発明の好ましい実施の形態の例の上板の平面説明図である。
【図５】図５は、本発明の好ましい実施の形態の例の上板を取り外した平面説明図である。
【図６】図６は、本発明の好ましい実施の形態の例の操作板等の開放動作説明図である。
【図７】図７は、本発明の好ましい実施の形態の例を建物に適用した一例の側面断面説明図である。
【図８】図８は、本発明の好ましい実施の形態の例の操作板等の閉鎖動作説明図である。
【図９】図９は、操作板の閉鎖動作における図５に相当する平面説明図である。
【図１０】図１０は、操作板の閉鎖動作における図７に相当する側面断面説明図である。
【発明を実施するための形態】
【００１３】
以下、本発明及びその実施の形態を、図に示す好ましい具体例に基づいて説明する。なお、本発明は、本具体例に何等限定されないのである。
【００１４】
図１から図６に示す本例の換気装置１は、換気路２を有すると共に長辺３（前壁３１及び後壁３２）及び短辺４（側壁３３及び３４）をもった直方体状の函体５と、函体５内に換気路２を開放する図５及び図７に示す開放位置及び当該換気路２を閉塞する図９及び図１０に示す閉塞位置間であって函体５の短辺４に平行な方向Ａに移動できるように設けられた中空部材からなる開閉部材６と、函体５の長辺３に平行な回転軸心Ｏをもって方向Ｒに回転自在となるように函体５に軸支された操作板７及び回転軸心Ｏをもっての操作板７の方向Ｒの回転を開閉部材６に伝達して開閉部材６を短辺４に平行な方向Ａに移動させるリンク機構８を有していると共に開閉部材６を図５及び図７に示す開放位置及び図９及び図１０に示す閉塞位置間であって方向Ａに移動させる移動機構９と、開閉部材６による換気路２の閉塞に当たって当該閉塞を完全に行う密封機構１０とを具備している。
【００１５】
函体５は、角筒状の本体２１と、本体２１に一体的に形成されていると共に長辺３に平行な方向Ｂに伸びた長方形の開口２２を有した底板部２３と、本体２１の長方形の上縁２４に嵌着されていると共に夫々が方向Ａに伸びている一方、方向Ｂに配列された多数個の長孔２９を有した蓋２５と、本体２１の方向Ｂの中央部に配された支持板２６と、方向Ｂにおいて支持板２６を挟んで両側に配された支持板２７及び２８具備している。
【００１６】
本体２１は、前壁３１と、方向Ａにおいて前壁３１に対面した後壁３２と、方向Ｂにおいて互いに対面した一対の側壁３３及び３４と、前壁３１に配された取付用鍔部３５と、一対の側壁３３及び３４の夫々に配された取付用鍔部３６及び３７とを一体的に具備している。
【００１７】
蓋２５は、多数個の長孔２９に加えて、方向Ｂの中央部に開口４１を有した蓋板４２と、蓋板４２の一方の長方形の面４３の周囲に一体的に形成されていると共に蓋板４２と協働して上縁２４を嵌合受容する溝を形成する一対の突部４３及び４４とを具備している。
【００１８】
換気路２は、外部空気の入口として開口２２と、開口２２に連通すると共に本体２１の内周面５１で規定された空間５２と、空間５２に連通すると共に開口２２からの外部空気の出口としての長孔２９とからなっている。
【００１９】
開閉部材６は、一方の側壁３３近傍から他方の側壁３４近傍まで方向Ｂに伸びた中空部材５５と、中空部材５５に固定された取付板５６とを具備している。
【００２０】
天板６１と、天板６１の方向Ｂの両端に配された一対の側板６２及び６３と、天板６１の方向Ａの一端の方向Ｂの中央部に配された爪板６４とを一体的に具備していると共に開口４１に配された操作板７は、方向Ｂにおいて対峙されて配された一対の軸受部材６５及び６６と、一対の軸受部材６５及び６６の夫々の軸受部６７並びに一対の側板６２及び６３の夫々を貫通する軸部材６８とを具備した支持機構により軸受部６７に対して回転軸心Ｏをもって方向Ｒに回転自在となっており、軸部材６８は、軸受部６７の夫々から抜け出さないように、方向Ｂのその両端の夫々に曲げ部６９を有している。
【００２１】
リンク機構８は、方向Ｂにおいて対峙されていると共に側板６２及び６３の夫々に一端の夫々で軸ピン７１の夫々を介して回転自在に連結された一対のリンク部材７２及び７３と、一対のリンク部材７２及び７３の夫々の他端が軸ピン７４の夫々を介して回転自在に連結されていると共に滑り支持機構７５を介して方向Ａに滑り移動自在に方向Ｂの一端７６及び他端７７で支持されている滑り板７８と、滑り板７８の方向Ｂの中央部に軸ピン７９の夫々を介して一端の夫々で回転自在に連結されていると共に方向Ｂに伸びて支持板２６に形成された長孔８１及び８２並びに当該長孔８１及び８２の夫々に配された軸ピン８３の夫々により他端の夫々が方向Ｂに案内移動されるようになっているリンク部材８４及び８５と、リンク部材８４及び８５の夫々の一端及び他端間に一端の夫々で軸ピン８６の夫々を介して回転自在に連結されていると共に他端が支持板２６に軸ピン８７の夫々を介して回転自在に支持されたリンク部材８８及び８９と、軸ピン８３の夫々を介してリンク部材８４及び８５の夫々の他端に一端で回転自在に連結されていると共に当該一端が当該長孔８１及び８２並びに軸ピン８３の夫々により方向Ｂに案内移動されるようになっているリンク部材１０１及び１０２と、リンク部材１０１及び１０２の夫々の他端の夫々に軸ピン１０３を介して一端の夫々で回転自在に連結されていると共に方向Ｂに伸びて支持板２７及び２８の夫々に形成された長孔１０６（図９参照）及び１０７並びに当該長孔１０６及び１０７の夫々に配された軸ピン１０３の夫々により当該一端の夫々が方向Ｂに案内移動される一方、方向Ａに伸びて支持板２７及び２８の夫々に形成された長孔１１０及び１１１並びに当該長孔１１０及び１１１の夫々に配された軸ピン１１２の夫々により他端が方向Ａに案内移動されるようになっているリンク部材１１３及び１１４とを具備している。
【００２２】
リンク部材８４及び８８並びにリンク部材８５及び８９の夫々は、滑り板７８の方向Ａの運動を軸ピン８３の夫々の方向Ｂの運動に変換するスコットラッセル機構となっている。
【００２３】
滑り支持機構７５は、支持板２６にかしめ部材１２１を介して固定された一対の断面Ｌ字状の支持部材１２２及び１２３と、支持部材１２２及び１２３の夫々の上片部１２４及び１２５の夫々が嵌合された滑り部材１２６及び１２７と、支持板２６の方向Ｂの一方の端部に方向Ａに伸びて形成された一方の一対の長孔１２８に一対の足部１２９が配された一方の滑り部材１３０と、支持板２６の方向Ｂの他方の端部に方向Ａに伸びて形成された他方の一対の長孔１３１に一対の足部１３２が配された他方の滑り部材１３３とを具備しており、滑り部材１２６及び１３０は、滑り板７８の一端７６を方向Ａに移動自在に挟持しており、滑り部材１２７及び１３３は、滑り板７８の他端７７を方向Ａに移動自在に挟持しており、而して、滑り支持機構７５は、滑り板７８を方向Ａに滑り移動自在に支持している。
【００２４】
滑り板７８は、一端７６及び他端７７並びに一端７６及び他端７７間であって軸ピン７９が挿通された中央部１４１を具備した平板部１４２と、平板部１４２から一体的に方向Ｂにおいて互いに対面して立設されていると共に軸ピン７４の夫々が挿通された一対の軸受部１４５及び１４６とを具備している。
【００２５】
支持板２６は、一対の長孔１２８及び一対の長孔１３１が形成された平板部１５１と、平板部１５１から一体的に立設されていると共に一方の長孔１２８の方向Ａの一端及び一方の長孔１３１の方向Ａに一端で夫々平板部１５１から一体的に立設されている一対の停止片部１５２及び１５３と、平板部１５１の方向Ａの一縁に一体的に設けられていると共に後壁３２に取付けられた取付板部１５４と、平板部１５１の方向Ａの他縁の中央部に方向Ｂに伸びて形成された長孔１５５と、平板部１５１の方向Ａの他縁の中央部では、平板部１５１に直交した方向に伸びる中央部１５６を有する一方、平板部１５１の方向Ａの他縁の中央部を方向Ｂにおいて挟む両側では、平板部１５１に直交した方向であって取付板部１５４とは逆の方向に伸びて中央部１５６及び平板部１５１に一体形成された両側部１５７を有すると共に前壁３１に取付けられた補強板部１５８とを具備しており、軸受部材６５は、平板部１５１に穿設された貫通孔１６１に配されたかしめ部材１６２を介して平板部１５１に支持されており、軸受部材６６もまた、平板部１５１に穿設された貫通孔１６３に配されたかしめ部材１６２を介して平板部１５１に支持されており、支持部材１２２は、平板部１５１に穿設された貫通孔１６３に配されたかしめ部材１２１を介して平板部１５１に支持されており、支持部材１２３は、平板部１５１に穿設された貫通孔１６４に配されたかしめ部材１２１を介して平板部１５１に支持されている。
【００２６】
方向Ａの一端では前壁３１に、方向Ａの他端では後壁３２に夫々支持された支持板２７は、長孔１０６及び１１０に加えて、方向Ａに伸びた長孔１７１を具備しており、方向Ａの一端では前壁３１に、方向Ａの他端では後壁３２に夫々支持された支持板２８もまたは、長孔１０７及び１１１に加えて、方向Ａに伸びた長孔１７２を具備している。
【００２７】
円柱部１７５及び円柱部１７５に一体的に形成された円形膨大部１７６を有する軸ピン１１２の夫々は、円柱部１７５で対応の長孔１１０及び１１１に配されており、円柱部１７５の先端で対応の取付板５６に固定されており、軸ピン１１２の夫々において、円形膨大部１７６とリンク部材１１３及び１１４の夫々との間に捲きばね１７７が配されており、而して、開閉部材６は、取付板５６、軸ピン１１２及び捲きばね１７７を介してリンク部材１１３及び１１４に弾性的に吊下されており、リンク部材１１３及び１１４の夫々は、軸ピン１１２の夫々を介して開閉部材６に回転自在に連結されている。
【００２８】
操作板７及びリンク機構８を具備した移動機構９は、操作板７の方向Ｒの回転でリンク部材７２及び７３を介して滑り板７８を方向Ａに移動させ、滑り板７８の方向Ａの移動で、リンク部材８４及び８８を介してリンク部材１０１を、そして、リンク部材８５及び８９を介してリンク部材１０２を方向Ｂにおいて互いに逆の方向に夫々移動させ、リンク部材１０１及び１０２の夫々の方向Ｂにおける互いに逆の方向の夫々の移動で、リンク部材１１３及び１１４の夫々を介して軸ピン１１２の夫々を方向Ａに移動させ、軸ピン１１２の夫々の方向Ａの移動で、取付板５６を介して開閉部材６を方向Ａに移動させるようになっている。
【００２９】
密封機構１０は、開口２２を規定した底板部２３の長方形の縁部１８１に嵌着された矩形環状の弾性密封部材１８２と、前壁３１の内周面に一体的に形成されていると共に方向Ａにおいて中空部材５５の前面１８３に対面する傾斜面１８４を有した突部１８５と、縁部１８１に一体的に形成されていると共に傾斜面１８６を有した突部１８７と、中空部材５５の後端に一体的に形成されていると共に方向Ａにおいて傾斜面１８６に対面する傾斜面１８８を有した突部１８９と、長孔１７２の夫々に対応して中空部材５５の上面に一体的に形成されていると共に夫々傾斜面１９０（図１０参照）を有した一対の突板部１９１と、長孔１７２の夫々に対応して支持板２７及び２８の夫々に一体的に形成されている舌片部１９２及び１９３とを具備している。
【００３０】
密封機構１０は、開閉部材６による換気路２の閉塞に当たって、図１０に示すように、前面１８３の傾斜面１８４への接触、傾斜面１８８の傾斜面１８６への接触並びに傾斜面１９０の夫々の舌片部１９２及び１９３の夫々への接触で、中空部材５５の下面を弾性密封部材１８２に押圧させて、当該中空部材５５の下面を弾性密封部材１８２に密接させて、開閉部材６による換気路２の閉塞を完全に行うようになっている。
【００３１】
以上の換気装置１は、例えば、嵌め殺しガラス窓２０１の近傍の建物の躯体２０２に、当該躯体２０２に形成された換気孔２０３に換気路２が開口２２で連通するようにして、設置される。
【００３２】
換気装置１を具備した斯かる建物において、図８から図１０に示すように、換気路２が開閉部材６で閉鎖された状態で、換気孔２０３からの建物外２０４の外気を換気路２を介して建物内の室２０５に導入して室２０５を換気する場合には、図１及び図６に示すように、手動により操作板７を方向Ｒに回転させ、この回転でリンク機構８を介して軸ピン１１２の夫々を方向Ａにおいて後壁３２に向かって移動させ、軸ピン１１２のこの移動で開閉部材６を同じく方向Ａにおいて後壁３２に向かって移動させ、この移動で、図１、図５及び図７に示すように、換気路２を換気孔２０３に対して開放する開放位置に開閉部材６を移動させ、開閉部材６の図１、図５及び図７に示す開放位置への移動で、換気孔２０３からの建物外２０４の外気の換気路２を介しての建物内の室２０５への導入を可能とし、建物外２０４の外気圧と建物内の室２０５の室圧との大小の関連で室２０５を換気できる、一方、図１、図５及び図７に示すように、換気路２が換気孔２０３に対して開放された状態で、換気孔２０３からの建物外２０４の外気の換気路２を介しての建物内の室２０５への導入を禁止して室２０５の換気を停止する場合には、図８に示すように、手動により操作板７を嵌め殺しガラス窓２０１の方向に押すようにして方向Ｒに回転させ、この回転でリンク機構８を介して軸ピン１１２の夫々を方向Ａにおいて前壁３１に向かって移動させ、軸ピン１１２のこの移動で開閉部材６を同じく方向Ａにおいて前壁３１に向かって移動させ、この移動で、図８から図１０に示すように、換気路２を換気孔２０３に対して閉鎖する閉鎖位置に開閉部材６を移動させ、開閉部材６の図８から図１０に示す閉鎖位置への移動で、換気孔２０３からの建物外２０４の外気の換気路２を介しての建物内の室２０５への導入を禁止でき、建物外２０４の外気圧と建物内の室２０５の室圧との大小に拘わらずに室２０５の換気を停止できる。
【００３３】
本換気装置１によれば、操作レバーに相当する操作板７が函体５の長辺３に平行な回転軸心Ｏをもって方向Ｒに回転自在となるように函体５に軸支されているために、操作板７を操作者の片方の手で握るような動作で当該操作板７を方向Ｒにおいて平板部１５１から離れる一方の方向に回転できる上に、斯かる方向Ｒにおいて一方の方向に回転した操作板７を操作者の片方の手でガラス窓２０１の方向に押さえるような動作で方向Ｒにおいて他方の方向に回転できる結果、操作性に優れる上に、無意識による操作板７の折損事故を回避でき、しかも、リンク機構８を操作板７で室内側から目視できないように隠すことができる結果、リンク機構８による室内の美観の毀損を回避できる。
【００３４】
尚、換気装置１では、移動機構９が方向Ｂに関して滑り板７８を中心として対称に同一に形成されているが、方向Ｂに関して滑り板７８に対して片側だけで形成されていてもよい。
【符号の説明】
【００３５】
１  換気装置
２  換気路
３  長辺
４  短辺
５  函体
６  開閉部材
７  操作板
８  リンク機構
９  移動機構
１０  密封機構
【図１】
2018004145.tif 000003
【図２】
2018004145.tif 000004
【図３】
2018004145.tif 000005
【図４】
2018004145.tif 000006
【図５】
2018004145.tif 000007
【図６】
2018004145.tif 000008
【図７】
2018004145.tif 000009
【図８】
2018004145.tif 000010
【図９】
2018004145.tif 000011
【図１０】
2018004145.tif 000012